(57)【要約】本開示の態様は、冷却衣服に関する。冷却衣服は、着用者によって着用されるように構成されるベストを含み得る。ベスト上の１つ以上のポケットは、１つ以上のアイスパックを受容するように構成され得る。１つ以上のポケットは、１つ以上のポケットの前部分上に伸縮性素材を含み得る。１つ以上のポケットは、１つ以上のポケットの後部分上に非伸縮性素材をさらに含み得る。【選択図】図１
2021533279.tif 000002
【特許請求の範囲】
【請求項１】
着用者によって着用されるように構成されるベストと；前記ベストの第１の肩領域にまたがるように配置された少なくとも第１の肩ストラップと；１つ以上のアイスパックを受容するように構成される前記ベスト上の１つ以上のポケットであって、前記１つ以上のポケットは、前記１つ以上のポケットの前部分上に伸縮性素材を含み、前記１つ以上のポケットは、前記１つ以上のポケットの後部分上に非伸縮性素材をさらに含む、１つ以上のポケットと；を備える、冷却衣服。
【請求項２】
前記第１の肩ストラップは、アイスパックの少なくとも１つの開口を通って配置されるように構成される第１の端部を含む、請求項１に記載の冷却衣服。
【請求項３】
前記１つ以上のポケットは、前記ベストの前部分上に第１のポケットおよび第２のポケットを含み、前記第１のポケットおよび前記第２のポケットは、それぞれ第１のアイスパックおよび第２のアイスパックを受容するように構成される、請求項１に記載の冷却衣服。
【請求項４】
前記１つ以上のポケットは、前記ベストの後部分上に第３のポケットおよび第４のポケットを含み、前記第３のポケットおよび前記第４のポケットは、それぞれ第３のアイスパックおよび第４のアイスパックを受容するように構成される、請求項３に記載の冷却衣服。
【請求項５】
第２の肩ストラップをさらに備え、前記第１の肩ストラップは、第１の端部および第２の端部を含み、前記第２の肩ストラップは、第３の端部および第４の端部を含み、前記第１の肩ストラップの第１の端部は、前記第１のアイスパックに締結されるように構成され、前記第１の肩ストラップの第２の端部は、前記第３のアイスパックに締結されるように構成され、前記第２の肩ストラップの第３の端部は、前記第２のアイスパックに締結されるように構成され、前記第４の端部は、前記第４のアイスパックに締結されるように構成される、請求項４に記載の冷却衣服。
【請求項６】
前記伸縮性素材は、伸縮性織布素材を含む、請求項１に記載の冷却衣服。
【請求項７】
少なくとも第１の開口を各々含む１つ以上のアイスパックと；前記１つ以上のアイスパックを受容するように構成される１つ以上のポケットを含む衣服と；前記衣服の肩領域にまたがるように配置された少なくとも１つの肩ストラップであって、前記少なくとも１つの肩ストラップは、少なくとも第１の端部を備える、少なくとも１つの肩ストラップと；を備えるシステムであって、前記第１の端部は、前記１つ以上のアイスパックの第１の開口を通過して前記少なくとも１つの肩ストラップを前記１つ以上のアイスパックに固定するように構成される、システム。
【請求項８】
前記１つ以上のアイスパックのうち少なくとも１つは、少なくとも１つの屈曲エリアを含み、前記少なくとも１つの屈曲エリアは、前記１つ以上のアイスパックのうち少なくとも１つの第１の前部分と、前記１つ以上のアイスパックのうち少なくとも１つの第１の後部分とが相互に固着される１つ以上のエリアに対応し、前記少なくとも１つの屈曲エリアは、充填物質で充填されるように構成されない、請求項７に記載のシステム。
【請求項９】
前記１つ以上のアイスパックのうち少なくとも１つは、前記１つ以上のアイスパックのうち少なくとも１つの前部分から前記１つ以上のアイスパックのうち少なくとも１つの後部分を通って延びる第２の開口を含む、請求項７に記載のシステム。
【請求項１０】
前記１つ以上のポケットは、前記１つ以上のポケットの前部分上に伸縮性素材を含み、前記１つ以上のポケットは、前記１つ以上のポケットの後部分上に非伸縮性素材をさらに含む、請求項７に記載のシステム。
【請求項１１】
前記１つ以上のアイスパックのうち少なくとも１つは、三角形状の第２の開口を含み、前記第２の開口の頂点は、前記衣服の中線の方向を向いている、請求項７に記載のシステム。
【請求項１２】
前記１つ以上のアイスパックのうち少なくとも１つは、ひし形状の第２の開口を含み、前記第２の開口の角頂は、前記衣服の中線の方向を向いている、請求項７に記載のシステム。
【請求項１３】
前記１つ以上のアイスパックのうち少なくとも１つは、第２の開口を囲む複数の屈曲エリアを含み、前記第２の開口は、前記１つ以上のアイスパックのうち少なくとも１つの前部分から前記１つ以上のアイスパックのうち少なくとも１つの後部分を通って延びており、前記第２の開口は、前記１つ以上のアイスパックのうち少なくとも１つの第１の開口の下方に位置決めされる、請求項７に記載のシステム。
【請求項１４】
前記少なくとも１つの肩ストラップは、第１の肩ストラップおよび第２の肩ストラップを含み、前記第１の肩ストラップは、前記１つ以上のアイスパックの第１のアイスパックおよび第２のアイスパックに締結され、前記第２の肩ストラップは、前記１つ以上のアイスパックの第３のアイスパックおよび第４のアイスパックに締結される、請求項７に記載のシステム。
【請求項１５】
冷却衣服と共に使用するように構成されるアイスパックであって、前記アイスパックは、前記アイスパックの第１の前部分と、前記アイスパックの第１の後部分とが相互に固着される１つ以上のエリアに対応する少なくとも１つの屈曲エリアであって、前記少なくとも１つの屈曲エリアは、充填物質で充填されるように構成されない、少なくとも１つの屈曲エリアと；前記少なくとも１つの屈曲エリアに隣接して配置された１つ以上の開口であって、前記１つ以上の開口は、前記アイスパックの第２の前部分から前記アイスパックの第２の後部分を通って延びる、１つ以上の開口と；を備える、アイスパック。
【請求項１６】
前記アイスパックの上部分上に追加の開口をさらに備え、前記追加の開口は、前記アイスパックを固定するのに役立つよう、少なくとも１つの肩ストラップの第１の端部を受容するために利用可能である、請求項１５に記載のアイスパック。
【請求項１７】
前記１つ以上の開口は、頂点を含む三角形状の開口を含み、前記頂点は、前記アイスパックの側縁部の方向に向いている、請求項１５に記載のアイスパック。
【請求項１８】
前記少なくとも１つの屈曲エリアは、前記三角形状の開口の第１の側面と平行に向いている第１の屈曲エリアを含み、前記少なくとも１つの屈曲エリアは、前記三角形状の開口の第２の側面と平行に向いている第２の屈曲エリアをさらに含む、請求項１７に記載のアイスパック。
【請求項１９】
前記アイスパックは、第１の縁部、第２の縁部、第３の縁部および第４の縁部を含み、前記少なくとも１つの屈曲エリアは、前記第１の縁部と、前記第２の縁部と、前記第３の縁部と、前記第４の縁部と、へ延びない第１の屈曲エリアを含み、前記第１の屈曲エリアは、前記充填物質によって完全に囲まれるように構成される、請求項１５に記載のアイスパック。
【請求項２０】
前記１つ以上の開口は、ひし形状の開口を含み、前記少なくとも１つの屈曲エリアは、前記アイスパックの長手方向の長さに沿って、前記ひし形状の開口の角頂の上方に配置された第１の屈曲エリアを含む、請求項１５に記載のアイスパック。
【発明の詳細な説明】
【技術分野】
【０００１】
本開示の態様は、着用者を冷却するように構成される柔軟な冷却衣服システムに関する。
【背景技術】
【０００２】
従来の冷却衣服（たとえば冷却ベスト）は、アイスパックなどのような冷却ベストと結合した物品の重量または形状を十分に支持し得ない。さらに、従来の冷却衣服およびアイスパックは、硬性であったり、またはそうでなくても柔軟性に欠けることがあり、その結果、着用者の身体に十分に適合しないか、または着用者の活動中に不快感を生じさせる。
【図面の簡単な説明】
【０００３】
本開示の態様の例は、添付図を参照して以下に詳細に記載される。
【図１】本開示の態様に従って、着用者により着用された場合の例示的冷却ベストシステムの正面図を図示する。
【図２】本開示の態様に従って、肩ストラップの正面図、およびポケットをより分かりやすく図示するためにポケットの第２の外層の一部を取り外した冷却衣服のポケットの正面図を図示する。
【図３】本開示の態様に従って、着用者により着用された場合の冷却衣服システムの側面図を図示する。
【図４】本開示の態様に従って、着用者により着用された場合の冷却衣服システムの背面図を図示する。
【図５】本開示の態様に従って、例示的第１のアイスパックの正面斜視図を図示する概略図である。
【図６】本開示の態様に従って、充填物質で充填された、図５のアイスパックの正面斜視図を図示する。
【図７】本開示の態様に従って、例示的第２のアイスパックの正面斜視図を図示する概略図である。
【図８】本開示の態様に従って、充填物質で充填された、図７のアイスパックの正面斜視図を図示する。
【図９】本開示の態様に従って、開いたアイスパックの側部上面図を図示する。
【発明を実施するための形態】
【０００４】
本発明の主題は、法定要件を満たすために、本開示の特異性をもって記載される。しかし、記載そのものは、本開示の範囲を制限する意図はない。むしろ本発明者は、他の現在または将来の技術と関連して、異なるステップまたは本文書で記載されるステップに類似するステップの組み合わせを含むために、請求または開示された主題も、他の方式で具体化され得ると考慮している。さらに、用語「ステップ」および／または「ブロック」は、採用された方法の異なる要素を含意するために本開示において使用され得るにも拘わらず、個々のステップの順序が明示的に記載される場合でない限り、およびその場合を除いて、該用語は、本開示において開示された様々なステップ間の任意の特定の順序という意味を含蓄すると解釈すべきではない。
【０００５】
広い視野から見ると、本開示の特定の態様は、活動（たとえばトレーニング）の前、活動中、および／または活動の後に、着用者を冷却するように構成される柔軟な冷却衣服システムに関する。一態様において、冷却衣服システムは、着用者によって着用されるように構成されるベストと、１つ以上のアイスパックを受容するように構成されるベスト上の１つ以上のポケットとを含み得る。このようなポケットは、非伸縮性素材を含み得る素材の第１の内層と、伸縮性素材を含み得る素材の第２の外層とから形成され得る。ポケットの第２の外層の伸縮性素材は、伸縮性素材の弾性特性によりアイスパックの表面積に対する圧力をさらに増加させながら、衣服の伸縮がアイスパックをその能力いっぱいに膨張させ得るので、１つ以上のアイスパックを着用者の胴に固定するのに役立ち得る。さらに、１つ以上のポケットの第１の内層の非伸縮性素材は、アイスパックの重量を支持するのに役立ち得、その結果、アイスパックは垂れ下がったり、または着用者の身体上の想定される接点の外側に移動しない。
【０００６】
なおさらなる態様において、システムは、少なくとも１つの肩ストラップの第１の端部を受容するように構成される少なくとも第１の開口を含む１つ以上のアイスパックを含み得る。システムは、１つ以上のアイスパックを受容するように構成される１つ以上のポケットを含む衣服をさらに含み得る。肩ストラップは、衣服の肩領域にまたがるように配置され得、１つ以上のアイスパックの第１の開口を通過するように構成される第１の端部を含み得る。肩ストラップは、１つ以上のアイスパックを着用者の胴に固定し、アイスパックの重量および形状を支持するのにさらに役立ち得る。肩ストラップは、アイスパックを直立した延び姿勢（ｕｐｒｉｇｈｔ  ｅｘｔｅｎｄｅｄ  ｐｏｓｉｔｉｏｎ）に維持することにより、１つ以上のアイスパックを着用者の胴に固定するのに役立ち得、これに対してストラップ無しシステムでは、アイスパック内の氷が溶け始める際は特に、重力および他の移動力により、アイスパックが折り重なったり、または圧縮されたりし得る。いくつかの態様において、衣服が着用時の構成にあり、アイスパックの上方部分に締結される場合、これはアイスパックが膨張形状を維持することを可能にするが、重力がアイスパックを下方向に引っ張ると、肩ストラップはアイスパックを直立姿勢（ｕｐｒｉｇｈｔ  ｐｏｓｉｔｉｏｎ）に維持したまま、肩ストラップの特定の端部が、下方向に延びる。また肩ストラップは、着用中に、および着用中に様々な活動（たとえばトレーニングまたはスポーツ）を行う間に、アイスパックがずれたりまたは弾んだりすることを防止するのに役立ち得る。この様にアイスパックは、肩ストラップ機構のない機構で発生し得る散発的接触とは対照的に、着用者との継続的接触を維持し得る。
【０００７】
さらに他の態様において、冷却衣服とともに使用するように構成されるアイスパックは、少なくとも１つの屈曲エリアを含み得る。このような屈曲エリアは、アイスパックの第１の前部分とアイスパックの第１の後部分とが相互に固着される１つ以上の点またはエリアに対応し得、その結果１つ以上の点または、エリアは充填物質（たとえば水）で充填されていない。アイスパックは、少なくとも１つの屈曲エリアに隣接して配置された１つ以上の第２の開口をさらに含み得る。このような開口は、アイスパックの第２の前部分からアイスパックの第２の後部分を通って延び得る。アイスパック上の屈曲エリアおよび開口は、アイスパックが着用者の胸または他の身体部分に比較的密接に適合することを可能にし、可動域が概して変わらないことを可能にし得る。たとえばアイスパック上の様々な屈曲エリアは、アイスパックの対応する部分の残りの部分が軸方向に回転または移動し得るジョイントまたは軸点として、効果的に動作し得る。したがって、たとえば、着用者の身体のサイズまたは形状が変化するエリアで屈曲エリアが曲がり得るため、アイスパックは、身体の輪郭に密接に適合し得る。別の例において、開口および屈曲エリアはまた、着用者の特定の運動中にアイスパックの残りの部分がそのまわりを動くヒンジまたは点として動作し得る。このような開口および／または屈曲エリアがない場合、概して着用者の運動に応じてアイスパックが曲がることまたは折り重なることは防止され、運動中に不快感や緊張を引き起こし得る。開口は、アイスパックの表面積を減少させ得、移動点として動作し得、その結果、着用者が運動する場合に硬性は減少し、アイスパックは着用者の輪郭に適合し得る。
【０００８】
本開示で使用される「内」、「外」、「中間」、「横方向」、「上」、「下」、「上方」、「下方」、「前方」、「後方」、「屈曲」、「延び」、「外転」、「内転」などの位置および可動域の用語は、直立姿勢（すなわち解剖学的肢位）で立っている仮定の着用者により、本開示で想定、表示および記載されたように、着用された冷却衣服に関して、その一般的な意味が与えられるものとする。なおさらに、フレーズ「接触するように構成される」または着用者に関して衣服の様々な部分を記載する場合に使用されるそれに準ずるフレーズは、特定の着用者に適切なサイズのサポート衣服を指す。本開示で使用される「締結された」、「固定された」などの用語は、概して２つ以上の要素を、相互に固定した関係で維持する、要素を取り付ける方法を概して指す。本開示で使用される「調整可能に固定された」などの用語は、アイスパック表面の上部分などの別の要素に対してストラップなどの少なくとも１つの要素の調整（たとえば短くしたり、または長くしたり）を可能にする取り付け方法を指す。
【０００９】
本開示で使用される用語「伸縮性素材」は、エラストマー糸を使用して形成された繊維または素材を指す。エラストマー糸は概して、荷重を除いたときに非伸縮の状態に戻る前に、荷重を受けて約２００％より大きい最大伸縮を提供し得、一部のエラストマー糸は、約４００％の最大伸縮を提供し得る。エラストマー糸タイプの例には、ＳＰＡＮＤＥＸ（登録商標）、ｌｙｃｒａ、ゴムなどが含まれる。さらに伸縮性素材または伸縮性繊維の例として、伸縮性織布素材、伸縮性編物素材、伸縮性不織布素材などが含まれ得る。本開示で使用される用語「非伸縮性素材」は、非エラストマー糸を使用して形成された繊維または素材を指し、この非エラストマー糸は概して、閾値を越えて伸縮しない（たとえば木綿、絹、ポリエステル、通常のデニム、および／または他の非弾性ポリマー）。別の言い方をすると、非伸縮性素材は、伸縮性素材より低い伸縮能力を有する。
【００１０】
本開示で使用される用語「冷却衣服」または「衣服」は、上半身用衣服（たとえばベスト、シャツ、ジャケット、コート、サポート衣服など）、下半身用衣服（たとえば半ズボン、パンツなど）、または上半身用衣服と下半身用衣服とを組み合わせたもの（たとえばユニタード、オーバーオールなど）を意味し得る。
【００１１】
さて、図１に進むと、着用者１０２によって着用された例示的冷却衣服システム１００の正面斜視図が、本開示の態様に従って図示される。冷却衣服システム１００は、ベスト１０１を含むものとして示されているが、冷却衣服システム１００は、代替としてまたは追加として、シャツ、ジャケット、および／または他の着用物品などの任意の好適な冷却衣服を含み得ることが理解される。ベスト１０１は、ポケット１０６−１と、ポケット１０６−２と、入口開口１０６−３と、入口開口１０６−４と、外層１０６−５とを含むポケット１０６を含む。ポケット１０６−１およびポケット１０６−２は、ベスト１０１の前方または前部分上に位置し、着用者１０２の胴の前部分および胸部分にまたがるように配置される。ポケット１０６−１および１０６−２の各々は、アイスパック１０８−１および１０８−２を受容するようにそれぞれ構成される（本開示では、まとめて「アイスパック１０８」と呼ぶ）。ポケット１０６−１および１０６−２の各々は、ポケット１０６−１および１０６−２の上部分に入口開口１０６−３および１０６−４をそれぞれ含み得、その結果、それぞれのアイスパック１０８−１および１０８−２は、ポケット１０６−１および１０６−２に挿入され得る。いくつかの態様において、ポケット１０６−１および１０６−２の下方または底部は、入口を含み得ないので、その結果、アイスパック１０８の重量を支持し得る。冷却衣服システム１００では２つのアイスパック１０８−１および１０８−２ならびに２つのポケット１０６−１および１０６−２が描かれているにも拘わらず、この数はあくまで例示にすぎないこと、および任意の好適な数量があり得ることが理解される。たとえば、いくつかの態様において、冷却衣服システム１００は、単一のポケットおよび対応する単一のアイスパック、または２つを超えるポケットおよび対応するアイスパックを備え得る。
【００１２】
冷却衣服システム１００は、任意選択的なスライダー機構１１２をさらに含み、このスライダー機構１１２は、ポケット１０６−１と１０６−２との間に配置され、いくつかの態様においてポケット１０６−１および１０６−２の内縁部または中間縁部を形成し得る。スライダー機構１１２は、ポケット１０６−１および１０６−２の長手方向または垂直方向の長さに沿って延びるテープを含み得る。スライダー機構１１２は、着用者１０２がベスト１０１を着たり脱いだりできるように、スライダー機構１１２を可逆的に開閉し、したがって、ベスト１０１を開閉するように構成されるスライダープル（ｓｌｉｄｅｒ  ｐｕｌｌ）を含む。冷却衣服システム１００は、締結機構としてスライダー機構１１２を含むにも拘わらず、ベスト１０１を固定するかまたは着るために、任意の好適な締結機構が代替としてまたは追加として使用され得ることが理解される。たとえば、着用者１０２がベスト１０１のジッパーをスライダー機構１１２によってかける代わりに、着用者１０２は、様々な態様において１つ以上のボタン、スナップ、または面ファスナーによってベスト１０１を固定する。
【００１３】
前述のように冷却衣服システム１００は、アイスパック１０８−１および１０８−２をさらに含み、このアイスパックの各々は、アイスパック１０８の上方または上部分に開口１１０−１および１１０−２をそれぞれ含む。このような開口（本開示では、まとめて「開口１１０」と記載する）およびアイスパック１０８の上部分の残りの部分は、露出するか、またはポケット１０６またはベスト１０１の部分で覆われないように図示される。これは、着用者１０２がポケット１０６−１および１０６−２の入口開口１０６−３および入口開口１０６−４から／に、アイスパック１０８を取り外しかつ／もしくは配置することを容易にし得、かつ／または着用者１０２が開口１１０を介して肩ストラップ１０４−１および１０４−２をアイスパック１０８に締結することを容易にし得る。肩ストラップ１０４−１および１０４−２（本開示では、まとめて肩ストラップ１０４と呼ぶ）は、以下でさらに詳しく説明するように、開口１１０を通ってそれぞれの端部を配置することでアイスパック１０８に締結または固定されるように各々構成される。アイスパック１０８の上部分に取り付けられるように、肩ストラップ１０４は、少なくとも部分的に、ベスト１０１（たとえば１１６−１）または着用者１０２の肩領域にまたがるように水平方向または横方向に向かい、ベスト１０１または着用者１０２の前方部分にまたがるように長手方向に向かう。様々な態様において、アイスパック１０８は、以下でさらに詳しく説明するように、様々な屈曲エリアおよび追加開口を含み得る。
【００１４】
ベスト１０１は、内層部分１１６−１および１１６−２（本開示では、まとめて「内層１１６」と記載する）を含む。内層１１６は、ポケット１０６の前部分またはフェイス部分（すなわち外層１０６−５）に隣接して位置決めされ、その結果、ポケット１０６の内層１１６および外層１０６−５の対向表面は、互いに隣接して位置決めされる。特定の態様において、ポケット１０６は、内層１１６と外層１０６−５との間の空間として形成され、外層１０６−５は、ポケット１０６が位置する場所などのベスト１０１の特定の部分においてのみ存在し得る。この様に、アイスパック１０８−１および１０８−２は、内層１１６と外層１０６−５との間に配置される。内層１１６は、ベスト１０１の最内層を備え得、その結果、着用者１０２の身体表面（たとえば皮膚表面または、たとえばベース層で覆われた着用者１０２の表面）に隣接して位置決めされる。
【００１５】
内層部分１１６−１は、肩ストラップ１０４−１と当接し、その下に位置決めされ得る。いくつかの態様において、肩ストラップ１０４は、内層１１６に縫い合わされるか、またはそうでなければそれに恒久的に固定される。他の態様において、肩ストラップ１０４は、スタンドアロンの物品であり、その結果、肩ストラップ１０４は、内層１１６に縫い合わされたり、または恒久的に内層１１６に取り付けられたりすることなく、その代わりに、たとえば面ファスナー、スナップ、ボタンなどを使用して内層１１６に取り外し可能に取り付けられる。ベスト１０１は、スリーブなしで表示されているのではあるが、いくつかの態様において、内層１１６−１は、延びて長い袖または短い袖を形成し得（たとえば長袖Ｔシャツの袖）、その結果、着用者１０２の腕の一部分は覆われる（たとえば人の腕全体から腕の手首部分までの長さ）。ベスト１０１は、ベスト１０１を着用するために着用者１０２の頭を越えて配置されるように構成される、内層１１６の首開口付き内層部分１１６−２をさらに含む。いくつかの態様において、アイスパック１０８の下に位置決めされる内層１１６の部分（図示せず）は、ポケット１０６の後面または後方部を示す。内層１１６または冷却衣服システム１００の任意の部分は、編物メッシュ、織布素材、ナイロン、木綿、ポリエステル、絹などの任意の好適な素材から作成され得る。様々な態様において、内層１１６、またはポケット１０６の後方部分は、非伸縮性織布、非伸縮性編物、非伸縮性不織布などの非伸縮性素材から形成される。様々な態様において、外層１０６−５は、伸縮性織布、伸縮性編物、伸縮性不織布などを含む伸縮性素材から形成される。
【００１６】
図２は、ポケット２０６をより分かりやすく図示するためにポケット２０６の第２の外層２０６−１の一部が部分的に取り外された、冷却衣服２００の肩ストラップ２０４−１およびポケット２０６の図（第１の内層２０６−３、第２の外層２０６−１の両方、および下マージン２０６−５を示す）を図示する。いくつかの実施形態において、冷却衣服２００は図１のベスト１０１を示し、逆も同様である。たとえば、いくつかの態様において、ポケット２０６は、図１のポケット１０６−１（および／または１０６−２）を示し、逆も同様である。いくつかの態様において、第１の内層２０６−３は図１の内層１１６−１および／または内層１１６−２を示し、逆も同様である。同様にいくつかの態様において、第２の外層２０６−１は、図１の外層１０６−５を示し、逆も同様である。例示的態様において、第１の内層２０６−３は、冷却衣服２００の残りの部分を形成し得る。第２の外層２０６−１の内向表面は、第１の内層２０６−３の外向表面に隣接して位置決めされ、その結果、第２の外層２０６−１は、冷却衣服２００の外部表面の少なくとも一部分を形成し、着用者が関連冷却衣服２００を着用しているとき少なくとも部分的に見える。態様において、第１の内層２０６−３は、冷却衣服２００の内部（または身体に対向する）層を備え得る。いくつかの態様において、第２の外層２０６−１は、伸縮性素材（たとえば伸縮性織布素材）であるか、または伸縮性素材（たとえば伸縮性織布素材）を含み、第１の内層２０６−３は、非伸縮性素材であるか、または非伸縮性素材を含む。
【００１７】
ポケット２０６の第２の外層２０６−１が伸縮性素材から形成され、ポケット２０６の第１の内層２０６−３が非伸縮性素材から形成されるように、ポケット２０６を構造化することで、ポケット２０６は、アイスパックの重量を支持するとともに、アイスパックが着用者の身体に密接に適合することを支援するように構成される。第１の内層２０６−３が非伸縮性素材を含むが故に、第１の内層２０６−３は、挿入された姿勢または直立姿勢でアイスパックを支持し、その結果、アイスパックは、重力によって垂れ下がったり、下向きになったりしない。いくつかの例示的態様において、第２の外層２０６−１の下マージン２０６−５も、アイスパックの垂れ下がりまたはたるみをさらに防止するために非伸縮性素材を含む。第２の外層２０６−１は、概して伸縮性素材を含むが故に、挿入されたアイスパックは、非伸縮性素材を有する部分より着用者に適合し得る。これは、伸縮性素材がアイスパックを延びた形態または直立した形態に維持し得（たとえばアイスパックは、垂れ下がったり、ゆがんだり、曲がったりしないなど）、アイスパック、ひいては着用者にかかる圧力を継続的に維持し得るからである。たとえば着用者は、アイスパックをポケット２０６に挿入するために、第２の外層２０６−１に初張力をかけざるを得ない。しかし、伸縮性素材の弾性的性質に起因して、アイスパックがポケット２０６中に完全に位置決めされる場合に、伸縮性素材は、その元の形状に戻る弾性過程に入り得る。したがって、弾性力により着用者の身体に大きな圧力がかかり得、アイスパックは、重力に逆らうこのような弾性力に起因して、折り重なったり、圧縮されたりし得ない。いくつかの態様において、伸縮性素材では着用者は、ポケットの伸縮する能力の故に、他の硬性の非伸縮性素材よりも簡単にアイスパックをポケットの入口中に配置することが可能である。
【００１８】
肩ストラップ２０４−１は、たとえば連結要素のオス端部２０１を受容する少なくとも第１の端部と、連結要素のメス端部２０３を受容する部分と、を含む。いくつかの態様において、肩ストラップ２０４−１の第１の端部は、アイスパック１０８−２の開口１１０−２を通過するように構成され、オス端部２０１は、メス端部２０３内にスナップ留めまたは固定され得、その結果、アイスパック１０８−２の一部分は、ループ部分２０５で肩ストラップ２０４−１に固定される。このようにオス端部２０１とメス端部２０３が結合する場合、肩ストラップ２０４−１はループを形成し、次いでアイスパック１０８−２は、開口１１０−２を経て新しく形成されたループ部分２０５から延び得る。図２は、肩ストラップ２０４−１がアイスパックを冷却衣服２００に締結するのに役立つスナップ機構を含むことを図示しているが、他の態様において肩ストラップ２０４−１は、面ファスナー、ボタン、剥離可能接着剤など、他のファスナーを含み得る。いくつかの態様において、肩ストラップ２０４−１は、アイスパック１０８−２に調整可能に固定され得、その結果、着用者は、肩ストラップ２０４−１をゆるめたり、締めたりし得る。
【００１９】
図３は、本開示の態様に従って、着用者３０２により着用された場合の冷却衣服システム３００の側面図を図示する。いくつかの態様において、冷却衣服システム３００は、図１の同じ冷却衣服システム１００および／または図２の冷却衣服２００の側面図を示し、逆も同様である。しかし他の態様において、冷却衣服システム１００は、たとえば後部分上にアイスパックが存在しないように、冷却ベストの前部分上にアイスパックおよびポケットのみ備え得る。冷却衣服システム３００は、衣服３０１の前部分上にポケット３０６−１を含み、衣服３０１の後部分上にポケット３０６−２を含み、そのポケットの各々は、アイスパック３０８−１および３０８−２を受容するようにそれぞれ構成される。いくつかの態様において、前部分および／または後部分上に第２のポケットがある（図の故に可視ではない）。
【００２０】
図３は、肩ストラップ３０４−１がアイスパック３０８−１および３０８−２の両方を固定および保持するのに役立ち得ることを図示する。肩ストラップ３０４−１の中間セクションは、衣服３０１または着用者３０２の肩領域にまたがるように、横方向に配置されるか、横向きにされる。肩ストラップ３０４−１は、第２の端部３０４−２を含み、この第２の端部３０４−２は、アイスパック３０８−２に固定または締結されるように（たとえば図２で記述された方式で）、アイスパック３０８−２上の開口３１０−２を通って配置されるように構成される。肩ストラップ３０４−１は、第１の端部３０４−３をさらに含み、この第１の端部３０４−３は、アイスパック３０８−１に固定または締結されるように（たとえば図２で記述された方式で）、アイスパック３０８−１上の開口３１０−１を通って配置されるように構成される。したがって、態様において肩ストラップ３０４−１は連続物品であり、この物品は、着用者の活動中にアイスパック３０８−１および３０８−２がずれたりまたは弾んだりすることを防止するように、および着用者の胸と背中を冷却するのに役立つように、正面アイスパックおよび背面アイスパックを衣服３０１に固定するのに役立ち得る。さらに、肩ストラップ３０４−１は、アイスパック３０８（アイスパック３０８−２および３０８−２の両方を示す）を直立姿勢に維持するのに役立ち得、その結果、アイスパック３０８は、その膨張形状（たとえば、折り重なったり、曲がったり、捻じれたり、圧縮されたり、ゆがんだり、その他の同種の変形をしない）を維持し、着用者３０２のより大きな表面積との接触を維持し得、これに対してストラップ無しシステムでは、アイスパック３０８が、重力および他の移動力により折り重なったり、または圧縮されたりし得る。
【００２１】
図４は、本開示の態様に従って、着用者４０２により着用された場合の冷却衣服システム４００の背面図または後方図を図示する。いくつかの態様において、冷却衣服システム４００は、図１（正面図を示す）の冷却衣服システム１００の背面図を示し、逆も同様である。したがって、たとえば、肩ストラップ４０４−１は、図１に図示する肩ストラップ１０４−２と同じであり得る。同様に、肩ストラップ４０４−２は、図１の肩ストラップ１０４−１と同じであり得る。いくつかの態様において、冷却衣服システム４００は、図３の冷却衣服システム３００（側面図を示す）および／または図２の冷却衣服２００の背面を示し、逆も同様である。
【００２２】
冷却衣服システム４００は、ポケット４０６−１および４０６−３を含み、そのポケットの各々は、アイスパック４０８−１および４０８−３を受容するようにそれぞれ構成される。肩ストラップ４０４−１および４０４−２は各々、アイスパック４０８−１および４０８−３に締結または固定されるよう、アイスパック４０８−１および４０８−３中のそれぞれの開口を通って配置されるように構成される端部を含む。前述のように、いくつかの態様において、冷却衣服システム４００などの冷却衣服システムは、冷却衣服システム４００または着用者４０２の前面および後面上にアイスパックを含み得、肩ストラップ４０４はそれゆえ、前面および後面のアイスパック両方に締結される連続物品であり得る。したがって、たとえば、冷却衣服システム４００の冷却ベスト４０１は、第１の肩ストラップ（たとえば４０４−２）（第１の端部および第２の端部を含む）と、第２の肩ストラップ（たとえば４０４−１）（第３の端部および第４の端部を含む）と、を備え得る。第１の肩ストラップ４０４−２の第１の端部は、冷却ベスト４０１の前部分上の第１のアイスパック（たとえば１０８−１）に締結されるように構成され得る。第１の肩ストラップ４０４−２の第２の端部は、加えて、冷却ベスト４０１の後部分上の第２のアイスパック（たとえば４０８−３）に締結されるように構成され得る（たとえば図２に図示する）。第２の肩ストラップ４０４−１の第３の端部は、冷却ベスト４０１の前部分上の第３のアイスパック（たとえば１０８−２）に締結されるように構成され得る。第２の肩ストラップ４０４−１の第４の端部は、冷却ベスト４０１の後部分上の第４のアイスパック（たとえば４０８−１）に締結されるように構成され得る。
【００２３】
図５は、本開示の態様に従って、アイスパック５００の正面斜視図を図示する概略図である。いくつかの態様において、アイスパック５００は、図１、図２、図３、および／または図４の冷却衣服システムについて記載されたアイスパックうち任意のものを示す。アイスパック５００は、頂部分または上部分５０８を含み、この部分は、第１の開口５１０を含む。第１の開口５１０は、肩ストラップ（たとえば肩ストラップ１０４−１）を受容するために筒状の形状であり得る開放空間、スリット、または通り穴であり、その結果、たとえば図２で描かれたように肩ストラップはアイスパック５００に締結され得る。いくつかの態様において、上部分５０８は、液体または物質で充填されるように構成されているのではなく、ポケット入口（たとえば入口開口１０６−３）の外側に突出または露出するように構成されるパネルであり、その結果、着用者は、アイスパック５００を容易に配置するか、もしくは取り外し得、かつ／または第１の開口５１０を介して肩ストラップをアイスパック５００に容易に締結し得る。いくつかの態様において、上部分５０８は、発泡材または他の任意のポリマーベースの素材などの任意の好適な素材であるか、またはそのような素材を含む。いくつかの態様において、上部分５０８は、アイスパック５００の本体５１２とは異なる素材から作られる。
【００２４】
本体５１２は、例示的屈曲エリア５１６−１、５１６−２、５１６−３および５１６−４（本開示では、まとめて屈曲エリア５１６と呼ぶ）を含み、これらの屈曲エリアは、第２の開口５１４を囲むか、または第２の開口５１４から離れて延びる。アイスパック５００は、屈曲エリア、開口、およびアイスパックそのものについて特定の形状、向き、数量、および長さを図示しているが、これはあくまで例示にすぎないことと、任意の好適な形状、向き、数量、および長さがあり得ることとが理解される。たとえば、いくつかの態様において、第２の開口５１４は、図５で示される三角形とは対照的に、円形、長方形、または正方形の形状を示す。別の例において、屈曲エリア５１６のいくつかまたは各々は、図５で示される筒状とは対照的に円形の形状である。
【００２５】
屈曲エリア５１６の各々は、以下でさらに詳しく説明するように、アイスパック５００のそれぞれの第１の前部分と、アイスパック５００のそれぞれの第１の後部分とが、相互に収束するか、接合されるか、または固着されるエリアである。したがって、屈曲エリア５１６−１、５１６−２、５１６−３および５１６−４の各々には、相互に接合または固着されるアイスパック５００の前部分および後部分がある。アイスパック５００の前および後は、屈曲エリア５１６で相互に固着されるため、この屈曲エリア５１６を、水などの充填物質で充填することができない。一態様において、屈曲エリア５１６−１は筒状の形状であり、縁部５１２−４（上部分５０８と本体５１２との間の境界によって画定される）のすぐ下方から、第２の開口５１４のすぐ上へ、長手方向に延びる。屈曲エリア５１６−２および５１６−３（これも筒状の形状）は、本体５１２を横切って本体５１２の第１の側縁部５１２−１から、第２の開口５１４に横方向に隣接するエリアへ、斜めにまたは対角線方向に延びる。図示されているように、例示的態様において、このような屈曲エリア５１６−１および５１６−２は、第２の開口５１４を形成するそれぞれの縁部または側面に対して平行にまたは実質的に平行に向いている。屈曲エリア５１６−４は、屈曲エリア５１６−１に対して平行に延びており、実質的に屈曲エリア５１６−１と整列している。屈曲エリア５１６−４は、第２の開口５１４のすぐ下方から、本体５１２の底縁部５１２−２のすぐ上（または上方）へ、本体５１２の長さにわたって長手方向に延びる。
【００２６】
第２の開口５１４（またはアイスパック本体に関して述べられた任意の開口）は、アイスパック５００の前部分またはフェイス部分からおよびそれらを通って、アイスパック５００の後部分または背面部分を通って延びる、アイスパック本体（たとえば本体５１２）中の穴または開口である。したがって、このような態様において、本体５１２の部分は、第２の開口５１４を形成する開放空間が存在するように、第２の開口５１４のまわりに全空間の境界を形成し得る。たとえば、人は、このような開口を通って見ることができ、いくつかの態様において、いくつかの物体（たとえば指）は、開口を通過し得る。図５は、頂点５１４−１を有する、三角形状の第２の開口５１４を図示する。いくつかの態様において、三角形状の第２の開口５１４の頂点５１４−１（不等の第３の側面またはベースに対向する、等しい長さの２つの側面が出会う角頂として画定される）は、図１に図示するように、冷却衣服または着用者の中線または中間部分の方向に向いている。様々な態様において、アイスパックの本体内の開口（たとえば第２の開口５１４）は、屈曲エリア５１６などの屈曲エリアに隣接して、または接して配置される。第２の開口５１４は、本体５１２の中心の近くに、および屈曲エリア５１６−１と５１６−２との間に配置される。第２の開口５１４は、アイスパック５００が使用可能構成にある場合、または図１のアイスパック１０８−１について図示されたように着用された場合に、屈曲エリア５１６−２および５１６−３に隣接して、およびその中間にさらに配置される。
【００２７】
本開示で記載のように、屈曲エリア５１６および第２の開口５１４の各々は、冷却衣服および着用者に大きな柔軟性を与え得るだけでなく、アイスパック５００を着用者に容易に適合させ得る。たとえば屈曲エリア５１６−１および５１６−４は、本体５１２の長手方向の長さの一部分にわたって延びる。したがって、着用者が腕の水平内転運動または水平外転運動を行う場合（たとえばバットを振るために）、本体５１２を運動方向に移動または回転させ得、これは屈曲エリア５１６の長さに対して実質的に垂直であり得る。したがって、屈曲エリア５１６は、効果的な軸点または軸線の役目を果たし得、その結果、本体５１２はより自由に動き得、それによって着用者の可動域の拡大が可能となり、アイスパックは着用者とより多く接触し得、これは運動中に不快感や緊張を減少させ得る。同様に、屈曲エリア５１６は、効果的なジョイントの役目を果たし得、その結果、アイスパック５００の本体５１２は、胸領域などの着用者の身体の輪郭の変化に容易に適合し得る。別の例において、着用者が自分の胴体の屈曲運動または伸展運動（たとえば腹筋運動）を行う場合、第２の開口５１４ならびに屈曲エリア５１６−２および５１６−３は、効果的軸エリアの役目を果たし得、その結果、着用者は、同時にアイスパック５００の本体５１２と着用者との最適な接触を可能にしながら、自分の胴体をより容易に屈曲および伸展させ得る。したがって、このような運動において、第２の開口５１４は、頂点５１４−１で曲がったりまたは折り重なったりし得、本体５１２は、屈曲または伸展している間に屈曲エリア５１６−２および５１６−３で曲がったりまたは折り重なったりし得る。
【００２８】
様々な態様において、本体５１２は、任意の好適な素材から作られる。たとえば本体５１２は、熱可塑性ポリウレタン素材、および／または低密度ポリエチレン、高密度ポリエチレン、ポリプロピレンなどの他のポリマーから作られ得る。また、アイスパック５００のサイズは、任意の好適な長さ、幅、および厚さを含み得る。たとえば、いくつかの態様において、本体５１２の幅（縁部５１２−２に沿った距離によって、または縁部５１２−１と縁部５１２−３との間の距離によって画定される）は、約１０ｃｍ（たとえば１０ｃｍの±５％）である。いくつかの態様において、アイスパック５００の長さ（縁部５１２−１に沿った距離によって、または縁部５１２−４と５１２−２との間の距離によって画定され、約３０ｃｍ〜約３６ｃｍであり、それに上部分５０８が付く（たとえばそれぞれ３０ｃｍおよび３６ｃｍの±５％））。いくつかの態様において、本体５１２の厚さは、流体（たとえば水）または他の充填物質を除いて約２ｃｍ〜約４ｃｍ（たとえばこれらの値の±５％）である。
【００２９】
いくつかの態様においてアイスパック５００は、２つの分離された層から形成され、この層は、周辺（たとえば縁部５１２−１、５１２−２、および５１２−３）の周囲、屈曲エリア５１６、および／または第２の開口５１４の周縁部の周囲などの特定エリアで互いに接着される。
【００３０】
図５に図示するように、屈曲エリア５１６は、本体５１２の任意の縁部に延びない。したがって、流体または他の充填物質は、以下でさらに詳しく説明するように、いくつかの屈曲エリア５１６の各部分または屈曲エリア５１６の各々を囲み得る。たとえば本体５１２の第１の縁部５１２−１は、本体５１２の長手方向の長さにわたって延び得る。第２の縁部５１２−２は、水平方向の幅に沿って縁部５１２−１から縁部５１２−３の一部分（たとえばコーナ）へ延び得る。第３の縁部５１２−３は、縁部５１２−１と平行であり得、縁部５１２−１と同じ距離だけ延び得る。第４の縁部５１２−４は、水平方向の全幅にわたって延びており、上部分５０８と本体５１２との間の境界線を示し得、本体５１２の頂部をさらに示し得る。縁部５１２−４は、縁部５１２−２と平行であり得る。図示した例において、屈曲エリア５１６−１は、縁部５１２−４のすぐ下方から第２の開口５１４の縁部のすぐ上へ、長手方向に延びる。したがって、屈曲エリア５１６−１は、縁部５１２−４に、および第２の開口５１４の縁部に延びない。それゆえ、たとえば部分５１２−５および５１２−６は、屈曲エリア５１６−１が縁部へずっと延びないため、水または別の充填物質で充填され得る。それゆえ、屈曲エリア５１６−１は、充填物質によって完全に囲まれ得る。同様に、他の屈曲エリアのいくつかまたは各々も、近隣の縁部に延び得ず、その結果、図６に示すように、充填物質が屈曲エリアの各側面を完全に囲み得る。しかし、他の態様において、屈曲エリアは、アイスパック５００の本体５１２の１つ以上の縁部と当接するか、またはその縁部に延び得る。すべての態様、およびそれの任意の変形は、本開示の態様内にあると考慮される。
【００３１】
図６は、本開示の態様に従って、充填物質（たとえばジェル、水、氷など）で充填された、図５のアイスパック５００の正面斜視図を図示する。図６は、アイスパック５００が水などの充填物質で充填された場合に、どのように見え得るかを図示する。したがって、本体５１２は、屈曲エリア５１６−１、５−１６−２、５１６−３、５１６−４、および第２の開口５１４を囲むエリアの各々で膨出または膨張しているように見える。これにより、屈曲エリア５１６が、上記のようにアイスパック５００の前層と後層が固着されるエリアであるため、屈曲エリア５１６は、充填物質でアイスパック５００を充填しても膨出または膨張しない。本体５１２がこのエリアまで続いていないため、第２の開口５１４も、アイスパック５００を充填しても膨出または膨張しない。したがって、水または他の充填物質は、この空間を充填しない。また図６は、屈曲エリア５１６および第２の開口５１４が、流体または他の充填物質によって完璧にまたは完全に囲まれて、第２の開口５１４および屈曲エリア５１６を囲む各エリアが、充填物質でアイスパック５００を充填することを受けて膨出または膨張するように構成され得ることを図示する。
【００３２】
図７は、本開示の態様に従って、例示的第２のアイスパック７００の正面斜視図を図示する概略図である。いくつかの態様において、アイスパック７００は、図１、図２、図３、および／または図４の冷却衣服システムについて記載されたアイスパックうち任意のものを示す。アイスパック７００は、頂部分または上部分７０８を含み、この部分は、第１の開口７１０を含む。第１の開口７１０は、肩ストラップ（たとえば肩ストラップ１０４−１）を受容するために筒状の形状の開放空間、スリット、または穴であり、その結果、たとえば図２で描かれたように肩ストラップはアイスパック７００に締結され得る。いくつかの態様において、上部分７０８は、液体または物質で充填されるように構成されているのではなく、ポケット入口（たとえばポケット１０６−１）の外側に突出または露出するように構成されるパネルであり、その結果、着用者は、アイスパック７００を容易に配置するか、もしくは取り外し得、かつ／または第１の開口７１０を介して肩ストラップをアイスパック７００に容易に締結し得る。いくつかの態様において、上部分７０８は、発泡材または他の任意のポリマーベースの素材などの任意の好適な素材であるか、またはそのような素材を含む。いくつかの態様において、上部分７０８は、アイスパック７００の本体７１２とは異なる素材から作られる。
【００３３】
本体７１２は、第２の開口７１４を囲む屈曲エリア７１６−１および７１６−２（本開示では、まとめて屈曲エリア７１６と呼ぶ）を含む。アイスパック７００は、屈曲エリア、開口、およびアイスパックそのものについて特定の形状、向き、数量、および長さを図示しているが、これはあくまで例示にすぎないことと、任意の好適な形状、向き、数量、および長さがあり得ることとが理解される。たとえば、いくつかの態様において、第２の開口７１４は、図７で示されるひし形状とは対照的に、円形、三角形、長方形、または正方形の形状を示す。別の例において、屈曲エリア７１６のいくつかまたは各々は、図７で示される筒状とは対照的に円形の形状である。
【００３４】
屈曲エリア７１６の各々は、以下でさらに詳しく説明するように、アイスパック７００のそれぞれの第１の前部分と、アイスパック７００のそれぞれの第１の後部分とが、相互に固着および／またはに接合されるエリアである。したがって、屈曲エリア７１６−１および７１６−２は、水などの充填物質で充填され得ない。屈曲エリア７１６−１は筒状の形状であり、頂縁部７１２−１（アイスパック７００の上部分７０８と本体７１２との間の水平な境界）のすぐ下方から、第２の開口７１４のすぐ上または上方へ、長手方向に延びる。屈曲エリア７１６−２は、屈曲エリア７１６−１に対して平行に延びており、実質的に屈曲エリア７１６−１と整列している。屈曲エリア７１６−２は、第２の開口７１４のすぐ下方から、本体５１２の底縁部７１２−２のすぐ上または上方へ、本体７１２の長さにわたって長手方向に延びる。
【００３５】
第２の開口７１４（またはアイスパック本体に関して述べられた任意の開口）は、アイスパックの前部分またはフェイス部分から、アイスパックの後部分または背面部分を通って延びる、アイスパック本体（たとえば本体７１２）中の穴または開口である。したがって、このような態様において、本体７１２の部分は、開口を形成する開放空間が存在するように、第２の開口７１４全体の境界を形成し得る。たとえば、人は、このような開口を通って見ることができ、いくつかの態様において、いくつかの物体（たとえば指）は、開口を通過し得る。図７は、ひし形状の第２の開口７１４と共に、開口７１４を画定する角頂または点７１４−１および７１４−２を図示する。様々な態様において、アイスパックの本体内の開口（たとえば第２の開口７１４）は、屈曲エリア７１６などの屈曲エリアに隣接して、または接して配置される。例示的態様において、第２の開口７１４は、本体５１２の中心の近くに、および屈曲エリア７１６−１と７１６−２との間に配置される。角頂７１４−１および／または頂点７１４−２は、冷却衣服または冷却衣服の着用者の中線の方向に向き得る。
【００３６】
屈曲エリア７１６および第２の開口７１４の各々は、冷却衣服および着用者に大きな柔軟性を与え得るだけでなく、アイスパック７００を着用者に容易に適合させ得る。たとえば屈曲エリア７１６−１および７１６−２は、本体５１２の長手方向の長さの一部分にわたって延びる。したがって、着用者が腕の水平内転運動または水平外転運動を行う場合（たとえば投げる動作）、本体７１２を運動方向に移動または回転させ得、これは屈曲エリア７１６に対して実質的に垂直であり得る。したがって、屈曲エリア７１６は、効果的な軸点または軸エリアの役目を果たし得、その結果、アイスパック７００の本体７１２はより自由に動き得、それによって着用者の可動域の拡大が可能となり、アイスパックは着用者とより多く接触し得、これは運動中に不快感や緊張を減少させ得る。同様に、屈曲エリア７１６は、効果的なジョイントの役目を果たし得、その結果、アイスパック７００の本体７１２は、胸領域などの着用者の身体の輪郭の変化に容易に適合し得る。別の例において、着用者が自分の胴体の屈曲運動または伸展運動（たとえば腹筋運動）を行う場合、第２の開口７１４は、角頂７１４−１および７１４−２で効果的軸点の役目を果たし得、その結果、着用者は、同時にアイスパック７００の本体７１２と着用者との最適な接触を可能にしながら、自分の胴体をより容易に屈曲および伸展させ得る。したがって、このような運動において、第２の開口７１４は、角頂７１４−１および７１４−２で曲がったりまたは折り重なったりし得、これによりアイスパック７００の本体７１２は、屈曲および伸展運動中に、このようなエリアで曲がったりまたは折り重なったりし得る。
【００３７】
様々な態様において、本体７１２は、任意の好適な素材から作られる。たとえば本体７１２は、熱可塑性ポリウレタン素材、および／または低密度ポリエチレン、高密度ポリエチレン、ポリプロピレンなどの他のポリマーから作られ得る。また、アイスパック７００のサイズは、任意の好適な長さ、幅、および厚さを含み得る。たとえば、いくつかの態様において、本体７１２の幅（縁部７１２−２に沿った距離によって画定される）は、約１０ｃｍ（たとえば１０ｃｍの±５％）である。いくつかの態様において、アイスパック７００の長さ（縁部７１２−１と７１２−３との間の少なくとも１つの距離によって画定される）は、上部分５０８が付いて約３０ｃｍ〜約３６ｃｍ（たとえばそれぞれ３０ｃｍ〜３６ｃｍの±５％）である。いくつかの態様において、本体７１２の厚さは、流体（たとえば水）または他の充填物質を除いて約０．５ｃｍ〜約４ｃｍ（たとえばこれらの値の±５％）である。
【００３８】
図７に図示するように、屈曲エリア７１６は、アイスパック７００の任意の縁部に延びない。したがって、流体または他の物質は、屈曲エリアそれぞれの各部分を囲み得る。たとえば本体５１２の第１の縁部７１２−１は、本体７１２の長手方向の長さにわたって延び得る。第２の縁部７１２−２は、水平方向の幅に沿って縁部７１２−１から縁部７１２−３の一部分（たとえばコーナ）へ延び得る。第３の縁部７１２−３は、縁部７１２−１と平行であり得、縁部７１２−１と同じ距離だけ延び得る。第４の縁部７１２−４は、水平方向の全幅にわたって延び得、上部分７０８と本体７１２との間の境界線を示し得る。第４の縁部７１２−４は、本体７１２の頂部をさらに示し得る。縁部７１２−４は、縁部７１２−２と平行であり得る。図示した例において、屈曲エリア７１６−１は、縁部７１２−４のすぐ下方から第２の開口７１４の縁部のすぐ上または上方へ、長手方向に延びる。したがって、屈曲エリア７１６−１は、縁部７１２−４に、および第２の開口７１４の縁部に延びない。それゆえ、たとえば部分７１２−５および７１２−６は、屈曲エリア７１６−１が縁部へずっと延びないため、水または別の充填物質で充填され得る。同様に、他の屈曲エリア７１６−２も、近隣の縁部に延び得ず、その結果、図８に示すように、充填物質が屈曲エリアの各側面を完全に囲み得る。しかし、他の態様において、屈曲エリアは、１つ以上の縁部と当接するか、またはその縁部に延び得る。
【００３９】
いくつかの態様においてアイスパック７００は、２つの分離された層から形成され、この層は、周辺（たとえば縁部７１２−１、７１２−２、および７１２−３）の周囲、屈曲エリア７１６、および／または第２の開口７１４の周縁部の周囲などの特定エリアで互いに接着される。
【００４０】
図８は、本開示の態様に従って、充填物質（たとえばジェル、水、氷など）で充填された、図７のアイスパック７００の正面斜視図を図示する。図８は、アイスパック７００が水などの充填物質で充填された場合に、どのように見え得るかを図示する。したがって、アイスパック７００の本体７１２は、屈曲エリア７１６−１、７１６−２および第２の開口７１４の外側のエリアで膨出または膨張しているように見える。これにより、屈曲エリア７１６が、上記のようにアイスパック７００の前層と後層が固着されるエリアであるため、屈曲エリア７１６は、充填物質でアイスパック７００を充填しても膨出または膨張しない。本体７１２がこのエリアまで続いていないため、第２の開口７１４も、アイスパック７００を充填しても膨出または膨張しない。したがって、水または他の充填物質は、この空間を充填しない。また図８は、屈曲エリア７１６および第２の開口７１４が、流体または他の充填物質によって完璧にまたは完全に囲まれて、第２の開口７１４および屈曲エリア７１６を囲む各エリアが、充填物質でアイスパック７００を充填することを受けて膨出または膨張するように構成され得ることを図示する。
【００４１】
図９は、本開示の態様に従って、開いたアイスパック９００の側部上面図を図示する。いくつかの態様において、アイスパック９００は、図５〜図８のアイスパック５００アイスパック７００の側部上面図、および／または、たとえばアイスパック１０８−１に関して本開示で記載の任意のアイスパックを示す。図９は、特定の態様に従って人がアイスパック９００を開いて充填物質で充填する場合、または充填物質を取り除く場合に、アイスパックがどのように見えるかを図示する。最初、アイスパック９００は閉じられ得、その結果、本体９１２は密封されたままであるか、またはそうでなければ固定されたままである。いくつかの態様において、本体９１２の固定または密封は、本体９１２の上部分のすぐ上方、および上部分９０８−１および９０８−２の底部の下方に配置されるジッパーシール９２２によって生じる。ジッパーシール９２２は、互いに押された場合に密封を形成する連動溝およびリッジを含む。ジッパーシール９２２が記載されているが、本体９１２を閉じるために、たとえば本体９１２を互いに恒久的に接合するために、任意の好適な締結機構または密封が使用され得ることが理解される。本態様に関して、アイスパック９００は、密封に先立って充填物質で充填されるであろう。
【００４２】
初回には（本体９１２または上部分９０８を開く前）、たとえば図７の上部分７０８で示されるように、上部分９０８は一体型のものに見え得る。しかし２回目には（初回の後）、着用者などの利用者は、上部分９０８−１および上部分９０８−２に対向する引張り力を加えて２つの部分を相互に分離することで、アイスパック９００を開き得る。この分離が生じた場合、特定の態様において第１の開口（図７で示される第１の開口７１０など）は、図９の開口９１０−１と開口９１０−２で示されるように、アイスパックに側面が２つ（前面と後面）あるため、分割されたまたは２つの開口になったように見え得る。次に利用者は、本体９１２の内側にあるキャビティ９２０またはブラダ開口に充填物質を挿入することで、本体９１２を充填物質で充填するために、ジッパーシール９２２を開けるかまたは外し得る。利用者は次に、その後の第３の回目に、充填物質を本体９１２内に収納し続けるために、ジッパーシール９２２の溝およびリッジの部分を重ね合わせて再度密封を形成し得る。
【００４３】
図９はまた、本開示で記載のように、特定の態様に従って、屈曲エリアがどのように形成され得るかを図示する。屈曲エリア９１６は、本体９１２の第１の前面９３６と第２の後面９３４とが相互に収束するか、または固着されて、屈曲エリア９１６を形成するエリアを示す。したがって、利用者が充填物質でキャビティ９２０を充填する場合、充填物質は、屈曲エリア９１６を囲むであろう。様々な態様において、前面９３６と後面９３４は、永久接着剤、エポキシ接着剤などの任意の好適な方法で互いに接合される。
【００４４】
次に続く項では、本開示で考慮されているコンセプトについて例示的態様を示す。以下のいずれかの項は、複数の依存し合う方式で組み合わされて１つ以上の他の項に従属し得る。さらに、依存し合う項（前の項に明示的に従属する項）の任意の組み合わせは、本開示で考慮されている態様の範囲内にとどまりながら、組み合わされ得る。次に続く項は、その性質上、制限的ではなく例示的である。
【００４５】
項１．着用者によって着用されるように構成されるベストと；上記ベストの肩領域にまたがるように配置された少なくとも１つの肩ストラップと；１つ以上のアイスパックを受容するように構成される上記ベスト上の１つ以上のポケットであって、上記１つ以上のポケットは、上記１つ以上のポケットの前部分上に伸縮性素材を含み、上記１つ以上のポケットは、上記１つ以上のポケットの後部分上に非伸縮性素材をさらに含む、１つ以上のポケットと；を備える、冷却衣服。
【００４６】
項２．上記少なくとも１つの肩ストラップは、上記１つ以上のアイスパックの少なくとも１つの開口を通って配置されるように構成される第１の端部を含む、項１に記載の冷却衣服。
【００４７】
項３．上記１つ以上のポケットは、上記ベストの前部分上に第１のポケットおよび第２のポケットを含み、上記第１のポケットおよび上記第２のポケットは、それぞれ上記１つ以上のアイスパックの第１のアイスパックおよび第２のアイスパックを受容するように構成される、項１または２に記載の冷却衣服。
【００４８】
項４．上記１つ以上のポケットは、上記ベストの後部分上に第３のポケットおよび第４のポケットを含み、上記第３のポケットおよび上記第４のポケットは、それぞれ上記１つ以上のアイスパックの第３のアイスパックおよび第４のアイスパックを受容するように構成される、項３または２に記載の冷却衣服。
【００４９】
項５．第１の肩ストラップおよび第２の肩ストラップをさらに備え、上記第１の肩ストラップは、第１の端部および第２の端部を含み、上記第２の肩ストラップは、第３の端部および第４の端部を含み、上記第１の肩ストラップの第１の端部は、上記第１のアイスパックに締結されるように構成され、上記第１の肩ストラップの第２の端部は、上記第３のアイスパックに締結されるように構成され、上記第２の肩ストラップの第３の端部は、上記第２のアイスパックに締結されるように構成され、上記第４の端部は、上記第４のアイスパックに締結されるように構成される、項４、３、２または１に記載の冷却衣服。
【００５０】
項６．上記伸縮性素材は、伸縮性織布素材を含む、項１、２、３、４または５に記載の冷却衣服。
【００５１】
項７．少なくとも第１の開口を各々含む１つ以上のアイスパックと；上記１つ以上のアイスパックを受容するように構成される１つ以上のポケットを含む衣服と；上記衣服の肩領域にまたがるように配置された少なくとも１つの肩ストラップであって、上記少なくとも１つの肩ストラップは、少なくとも第１の端部を備える、少なくとも１つの肩ストラップと；を備えるシステムであって、上記第１の端部は、上記１つ以上のアイスパックの第１の開口を通過して上記少なくとも１つの肩ストラップを上記１つ以上のアイスパックに固定するように構成される、システム。
【００５２】
項８．上記１つ以上のアイスパックのうち少なくとも１つは、少なくとも１つの屈曲エリアを含み、上記少なくとも１つの屈曲エリアは、上記１つ以上のアイスパックのうち少なくとも１つの第１の前部分と、上記１つ以上のアイスパックのうち少なくとも１つの第１の後部分とが相互に固着される１つ以上のエリアに対応し、上記少なくとも１つの屈曲エリアは、充填物質で充填されるように構成されない、項７に記載のシステム。
【００５３】
項９．上記１つ以上のアイスパックのうち少なくとも１つは、上記１つ以上のアイスパックのうち少なくとも１つの前部分から上記１つ以上のアイスパックのうち少なくとも１つの後部分を通って延びる第２の開口を含む、項７または８に記載のシステム。
【００５４】
項１０．上記１つ以上のポケットは、上記１つ以上のポケットの前部分上に伸縮性素材を含み、上記１つ以上のポケットは、上記１つ以上のポケットの後部分上に非伸縮性素材をさらに含む、項７、８または９に記載のシステム。
【００５５】
項１１．上記１つ以上のアイスパックのうち少なくとも１つは、三角形状の第２の開口を含み、上記第２の開口の頂点は、上記衣服の中線の方向を向いている、項７、８、９または１０に記載のシステム。
【００５６】
項１２．上記１つ以上のアイスパックのうち少なくとも１つは、ひし形状の第２の開口を含み、上記第２の開口の角頂は、上記衣服の中線の方向を向いている、項７、８、９または１０に記載のシステム。
【００５７】
項１３．上記１つ以上のアイスパックのうち少なくとも１つは、第２の開口を囲む複数の屈曲エリアを含み、上記第２の開口は、上記１つ以上のアイスパックのうち少なくとも１つの前部分から上記１つ以上のアイスパックのうち少なくとも１つの後部分を通って延びており、上記第２の開口は、上記１つ以上のアイスパックのうち少なくとも１つの第１の開口の下方に位置決めされる、項７、８、９または１０に記載のシステム。
【００５８】
項１４．上記少なくとも１つの肩ストラップは、第１の肩ストラップおよび第２の肩ストラップを含み、上記第１の肩ストラップは、上記１つ以上のアイスパックの第１のアイスパックおよび第２のアイスパックに締結され、上記第２の肩ストラップは、上記１つ以上のアイスパックの第３のアイスパックおよび第４のアイスパックに締結される、項７、８、９または１０に記載のシステム。
【００５９】
項１５．冷却衣服と共に使用するように構成されるアイスパックであって、上記アイスパックは、上記アイスパックの第１の前部分と、上記アイスパックの第１の後部分とが相互に固着される１つ以上のエリアに対応する少なくとも１つの屈曲エリアであって、上記１つ以上のエリアは、充填物質で充填されるように構成されない、少なくとも１つの屈曲エリアと；上記少なくとも１つの屈曲エリアに隣接して配置された１つ以上の開口であって、上記１つ以上の開口は、上記アイスパックの第２の前部分から上記アイスパックの第２の後部分を通って延びる、１つ以上の開口と；を備える、アイスパック。
【００６０】
項１６．上記アイスパックの上部分上に追加の開口をさらに備え、上記追加の開口は、上記アイスパックを固定するのに役立つよう、少なくとも１つの肩ストラップの第１の端部を受容する、項１５に記載のアイスパック。
【００６１】
項１７．上記１つ以上の開口は、頂点を含む三角形状の開口を含み、上記頂点は、上記アイスパックの側縁部の方向に向いている、項１５または１６に記載のアイスパック。
【００６２】
項１８．上記少なくとも１つの屈曲エリアは、上記三角形状の開口の第１の側面と平行に向いている第１の屈曲エリアを含み、上記少なくとも１つの屈曲エリアは、上記三角形状の開口の第２の側面と平行に向いている第２の屈曲エリアをさらに含む、項１７または１６に記載のアイスパック。
【００６３】
項１９．上記アイスパックは、第１の縁部、第２の縁部、第３の縁部および第４の縁部を含み、上記少なくとも１つの屈曲エリアは、上記第１の縁部と、上記第２の縁部と、上記第３の縁部と、上記第４の縁部と、へ延びない第１の屈曲エリアを含み、上記第１の屈曲エリアは、上記充填物質によって完全に囲まれるように構成される、項１５、１６、１７または１８に記載のアイスパック。
【００６４】
項２０．上記１つ以上の開口は、ひし形状の開口を含み、上記少なくとも１つの屈曲エリアは、上記アイスパックの長手方向の長さに沿って、上記ひし形状の開口の角頂の上方に配置された第１の屈曲エリアを含む、項１５、１６、１７または１８に記載のアイスパック。
【００６５】
本開示の態様は、限定的ではなく例示的であるという意図の元に記述されている。代替の態様は、その範囲から逸脱しないことが、当業者であれば明らかであろう。当業者であれば、本開示の範囲から逸脱することなく前述の改良を実装する代替手段を開発し得る。
【００６６】
特定の特徴および下位組み合わせは実用的であり、他の特徴および下位組み合わせに関係なく採用され得、特許請求の範囲内で考慮されていることが理解されよう。様々な図でリストされているすべてのステップは、記載されている特定の順序で実施される必要はない。
【図１】
2021533279.tif 000003
【図２】
2021533279.tif 000004
【図３】
2021533279.tif 000005
【図４】
2021533279.tif 000006
【図５】
2021533279.tif 000007
【図６】
2021533279.tif 000008
【図７】
2021533279.tif 000009
【図８】
2021533279.tif 000010
【図９】
2021533279.tif 000011
【国際調査報告】
2021533279.tif 000012
2021533279.tif 000013
2021533279.tif 000014
2021533279.tif 000015